(57)【要約】【課題】液体吸収剤を用いて空気の調湿を行う調湿装置において、その調湿性能をできるだけ維持しながら省エネ性を向上させる。【解決手段】調湿装置（10）に、給気側液通路（2）の流出端及び流入端を接続して液体吸収剤が循環する給気側液回路（12）を形成し且つ排気側液通路（3）の流出端及び流入端を接続して液体吸収剤が循環する排気側液回路（13）を形成する第１状態と、給気側液通路（2）の流出端及び排気側液通路（3）の流入端を接続し且つ排気側液通路（3）の流出端及び給気側液通路（2）の流入端を接続して液体吸収剤が循環する供給回路（11）を形成する第２状態とに切換可能な第１及び第２の三方弁（4a,4b）を設ける。【選択図】図３
2013064548.tif 000002
【特許請求の範囲】
【請求項１】
冷却部（46a,46b）及び吸湿部（40a,40b）が設けられて該冷却部（46a,46b）で冷却されるとともに該吸湿部（40a,40b）で空気の水分を吸収する液体吸収剤が流通する吸湿通路（2,3）と、
加熱部（46b,46a）及び放湿部（40b,40a）が設けられて該加熱部（46b,46a）で加熱されるとともに該放湿部（40b,40a）で空気へ水分を放出する液体吸収剤が流通する放湿通路（3,2）と、
上記吸湿通路（2,3）の流出端及び流入端を接続して液体吸収剤が循環する吸湿回路（12,13）を形成し且つ上記放湿通路（3,2）の流出端及び流入端を接続して液体吸収剤が循環する放湿回路（13,12）を形成する第１状態と、上記吸湿通路（2,3）の流出端及び上記放湿通路（3,2）の流入端を接続し且つ上記放湿通路（3,2）の流出端及び上記吸湿通路（2,3）の流入端を接続して液体吸収剤が循環する供給回路（11）を形成する第２状態とに切換可能な切換部（4a〜4d,4）と、
を備えていることを特徴とする調湿装置。
【請求項２】
請求項１において、
上記吸湿部（40a,40b）又は上記放湿部（40b,40a）で調湿された空気の湿度に基づいて、上記切換部（4a〜4d,4）を第１状態から第２状態へ切り換えるように制御する制御部（8）を備えていることを特徴とする調湿装置。
【請求項３】
請求項１において、
上記吸湿回路（12,13）又は上記放湿回路（13,12）を循環する液体吸収剤の濃度に基づいて、上記切換部（4a〜4d,4）を第１状態から第２状態へ切り換えるように制御する制御部（8）を備えていることを特徴とする調湿装置。
【請求項４】
請求項１において、
上記切換部（4a〜4d,4）の第２状態時に、上記供給回路（11）を循環する液体吸収剤の循環量と上記吸湿回路（12,13）又は上記放湿回路（13,12）における液体吸収剤の保有量とに基づいて所定時間を算出し、上記切換部（4a〜4d,4）の第２状態直後から該所定時間の経過後に、上記切換部（4a〜4d,4）を第２状態から第１状態へ切り換えるように制御する制御部（8）を備えていることを特徴とする調湿装置。
【発明の詳細な説明】
【技術分野】
【０００１】
本発明は、液体吸収剤を用いて空気の湿度調節を行う調湿装置に関するものである。
【背景技術】
【０００２】
従来より、塩化リチウム水溶液等の液体吸収剤と、液体吸収剤は透過させずに水蒸気だけを透過させる透湿膜とを備えた調湿装置が知られている。そして、例えば、特許文献１には、除湿運転と加湿運転とが切換可能な調湿装置が開示されている（特許文献１の段落〔００３１〕〜〔００３３〕と図８を参照）。この調湿装置は、液体吸収剤が循環する循環路と、冷媒が循環して冷凍サイクルを行う冷媒回路とを備えている。
【０００３】
上記循環路には、吸湿部と放湿部とが接続されている。吸湿部では、室内へ供給される空気が流れる空気通路と液体吸収剤が流れる液体通路とが透湿膜によって仕切られている。一方、放湿部では、室外へ排出される空気が流れる空気通路と液体吸収剤が流れる液体通路とが透湿膜によって仕切られている。又、上記循環路には、吸湿部から放湿部へ延びる通路に上記冷媒回路の凝縮器が接続され、放湿部から吸湿部へ延びる通路に上記冷媒回路の蒸発器が接続されている。上記凝縮器は、冷媒の凝縮による放熱によって液体吸収剤を加熱する加熱部を構成し、上記蒸発器は、冷媒の蒸発による吸熱によって液体吸収剤を冷却する冷却部を構成する。
【０００４】
この調湿装置では、蒸発器で冷却された液体吸収剤が吸湿部へ流入する。吸湿部では、空気の水分が液体吸収剤に吸収されて該空気が除湿される。この除湿空気が空気通路を通って室内へ供給される。上記吸湿部で水分を吸収した液体吸収剤は凝縮器で加熱された後に放湿部へ流入する。放湿部では、液体吸収剤の水分が空気へ放出されて該空気が加湿される。この加湿空気が空気通路を通って室外へ放出される。放湿部で水分を放出した液体吸収剤は、再び蒸発器で冷却された後で吸湿部へ流入する。このように、上記循環路内を液体吸収剤が循環することにより、室内の除湿が行われる。
【先行技術文献】
【特許文献】
【０００５】
【特許文献１】特開平０５−１４６６２７号公報
【発明の概要】
【発明が解決しようとする課題】
【０００６】
ところで、従来の調湿装置の場合、例えば夏期の除湿運転においては、上記放湿部から流出した液体吸収剤の温度はだいたい４０℃前後である。そして、上記吸湿部において、この液体吸収剤に効率よく空気の水分を吸収させるためには、上記冷却部において、液体吸収剤を４０℃前後から２０℃前後まで冷却するのが好ましい。
【０００７】
又、上記吸湿部では吸収熱および空気との熱交換によって液体吸収剤が加熱されるため、上記吸湿部から流出した液体吸収剤の温度は、だいたい３０℃前後である。そして、上記放湿部において、この液体吸収剤に効率よく液体吸収剤の水分を空気へ放出させるためには、上記加熱部において、液体吸収剤を３０℃前後から５０℃前後まで加熱するのが好ましい。
【０００８】
しかしながら、上記冷却部の冷却量及び上記加熱部の加熱量が比較的に大きいため、特に、上述した冷媒回路の凝縮器及び蒸発器で液体吸収剤の加熱と冷却とを行う場合には、上記冷媒回路に係る圧縮機の消費電力量が大きくなり、上記調湿装置の運転効率が悪くなるという問題がある。
【０００９】
本発明は、かかる点に鑑みてなされたものであり、その目的は、液体吸収剤を用いて空気の調湿を行う調湿装置において、その調湿性能をできるだけ維持しながら省エネ性を向上させることにある。
【課題を解決するための手段】
【００１０】
第１の発明は、冷却部（46a,46b）及び吸湿部（40a,40b）が設けられて該冷却部（46a,46b）で冷却されるとともに該吸湿部（40a,40b）で空気の水分を吸収する液体吸収剤が流通する吸湿通路（2,3）と、加熱部（46b,46a）及び放湿部（40b,40a）が設けられて該加熱部（46b,46a）で加熱されるとともに該放湿部（40b,40a）で空気へ水分を放出する液体吸収剤が流通する放湿通路（3,2）と、上記吸湿通路（2,3）の流出端及び流入端を接続して液体吸収剤が循環する吸湿回路（12,13）を形成し且つ上記放湿通路（3,2）の流出端及び流入端を接続して液体吸収剤が循環する放湿回路（13,12）を形成する第１状態と、上記吸湿通路（2,3）の流出端及び上記放湿通路（3,2）の流入端を接続し且つ上記放湿通路（3,2）の流出端及び上記吸湿通路（2,3）の流入端を接続して液体吸収剤が循環する供給回路（11）を形成する第２状態とに切換可能な切換部（4a〜4d,4）とを備えていることを特徴としている。
【００１１】
第１の発明では、上記切換部（4a〜4d,4）が第１状態のときに２つの循環回路（吸湿回路（12,13）と放湿回路（13,12））が形成され、第２状態のときに１つの循環回路（供給回路（11））が形成される。
【００１２】
上記切換部（4a〜4d,4）の第１状態において、上記吸湿回路（12,13）内を液体吸収剤が循環することにより、上記吸湿部（40a,40b）では、上記冷却部（46a,46b）で冷却された液体吸収剤に空気の水分が吸収されて該空気が除湿される。この水分の吸収により、上記吸湿回路（12,13）の液体吸収剤の濃度は徐々に薄くなるため、上記吸湿部（40a,40b）の吸湿能力は低下していく。
【００１３】
一方、上記放湿回路（13,12）内を液体吸収剤が循環することにより、上記放湿回路（13,12）の放湿部（40b,40a）では、上記加熱部（46b,46a）で加熱された液体吸収剤の水分が空気へ放出されて該空気が加湿される。この水分の放出により、上記放湿回路（13,12）の液体吸収剤の濃度は徐々に濃くなるため、上記放湿部（40b,40a）の放湿能力は低下していく。
【００１４】
その後、上記切換部（4a〜4d,4）を第１状態から第２状態へ切り換えることにより、上記吸湿通路（2,3）と上記放湿通路（3,2）とが連通して供給回路（11）が形成される。この供給回路（11）では、吸湿回路（12,13）と放湿回路（13,12）とが連通するため、上記吸湿回路（12,13）で薄くなった液体吸収剤と上記放湿回路（13,12）で濃くなった液体吸収剤とを入れ替えることができるようになる。この結果、上記吸湿回路（12,13）の液体吸収剤が濃くなって上記吸湿部（40a,40b）の吸湿能力が回復し、上記放湿回路（13,12）の液体吸収剤が薄くなって上記放湿部（40b,40a）の放湿能力が回復する。
【００１５】
又、上記切換部（4a〜4d,4）の第１状態時において、上記吸湿回路（12,13）には上記加熱部（46b,46a）がないので、該加熱部（46b,46a）で液体吸収剤が加熱されない分だけ、上記吸湿回路（12,13）に係る冷却部（46a,46b）の冷却量を従来よりも少なくすることができるようになる。又、上記放湿回路（13,12）には上記冷却部（46a,46b）がなく、この冷却部（46a,46b）で液体吸収剤が冷却されない分だけ、上記放湿回路（13,12）に係る加熱部（46b,46a）の加熱量を従来よりも少なくすることができるようになる。このように、従来に比べて、上記冷却部（46a,46b）及び上記加熱部（46b,46a）に要する熱交換量が少なくなる。
【００１６】
第２の発明は、第１の発明において、上記吸湿部（40a,40b）又は上記放湿部（40b,40a）で調湿された空気の湿度に基づいて、上記切換部（4a〜4d,4）を第１状態から第２状態へ切り換えるように制御する制御部（8）を備えていることを特徴としている。
【００１７】
第２の発明では、上記吸湿部（40a,40b）又は上記放湿部（40b,40a）で調湿された空気の湿度に基づいて、吸湿部（40a,40b）又は放湿部（40b,40a）の調湿能力を推測した後で上記切換部（4a〜4d,4）を第１状態から第２状態へ切り換える。例えば、調湿装置（10）が除湿運転の場合、上記吸湿部（40a,40b）で吸湿された後の除湿空気の湿度が所定値よりも高くなると、吸湿部（40a,40b）の吸湿能力が低下していると判断し、上記切換部（4a〜4d,4）を第１状態から第２状態へ切り換える。これにより、上記放湿回路（13,12）から上記吸湿回路（12,13）へ向かって濃度が濃い状態の液体吸収剤が供給され、上記吸湿部（40a,40b）の吸湿能力が回復する。尚、この除湿運転時の所定値は、上記吸湿部（40a,40b）の最低吸湿能力に対応する除湿空気の湿度に設定するのが好ましい。このように設定することで、上記吸湿部（40a,40b）の吸湿能力が最低値を下回ることがない。
【００１８】
一方、調湿装置（10）が加湿運転の場合、上記放湿部（40b,40a）で放湿された後の加湿空気の湿度が所定値よりも低くなると、放湿部（40b,40a）の放湿能力が低下していると判断して、上記切換部（4a〜4d,4）を第１状態から第２状態へ切り換える。これにより、上記吸湿回路（12,13）から上記放湿回路（13,12）へ向かって濃度が薄い状態の液体吸収剤が供給され、上記放湿部（40b,40a）の放湿能力が回復する。尚、この加湿運転時の所定値は、上記放湿部（40b,40a）の最低放湿能力に対応する加湿空気の湿度に設定するのが好ましい。このように設定することで、上記放湿部（40b,40a）の放湿能力が最低値を下回ることがない。
【００１９】
第３の発明は、第１の発明において、上記吸湿回路（12,13）又は上記放湿回路（13,12）を循環する液体吸収剤の濃度に基づいて、上記切換部（4a〜4d,4）を第１状態から第２状態へ切り換えるように制御する制御部（8）を備えていることを特徴としている。
【００２０】
第３の発明では、上記吸湿回路（12,13）又は上記放湿回路（13,12）を循環する液体吸収剤の濃度に基づいて、吸湿部（40a,40b）又は放湿部（40b,40a）の調湿能力を推測した後で上記切換部（4a〜4d,4）を第１状態から第２状態へ切り換える。
【００２１】
例えば、調湿装置（10）が除湿運転の場合、上記吸湿回路（12,13）に係る液体吸収剤の濃度を検出してその検出値から濃度変化速度を算出し、その変化速度が所定値よりも小さくなると、吸湿部（40a,40b）の吸湿能力が所定の能力よりも低下したと判断して、上記切換部（4a〜4d,4）を第１状態から第２状態へ切り換える。これにより、上記放湿回路（13,12）から上記吸湿回路（12,13）へ向かって濃度が濃い状態の液体吸収剤が供給され、上記吸湿部（40a,40b）の吸湿能力が回復する。尚、この除湿運転時の所定値は、上記吸湿部（40a,40b）の最低吸湿能力に対応する液体吸収剤の濃度変化速度に設定するのが好ましい。このように設定することで、上記吸湿部（40a,40b）の吸湿能力が最低値を下回ることがない。
【００２２】
一方、調湿装置（10）が加湿運転の場合、上記放湿回路（13,12）に係る液体吸収剤の濃度変化速度が所定値よりも小さくなると、上記放湿部（40b,40a）の放湿能力が所定の能力よりも低下したと判断して、上記切換部（4a〜4d,4）を第１状態から第２状態へ切り換える。これにより、上記吸湿回路（12,13）から上記放湿回路（13,12）へ向かって濃度が薄い状態の液体吸収剤が供給され、上記放湿回路（13,12）の放湿能力が回復する。尚、この加湿運転時の所定値は、上記放湿部（40b,40a）の最低放湿能力に対応する液体吸収剤の濃度変化速度に設定するのが好ましい。このように設定することで、上記放湿部（40b,40a）の放湿能力が最低値を下回ることがない。
【００２３】
第４の発明は、第１の発明において、上記切換部（4a〜4d,4）の第２状態時に、上記供給回路（11）を循環する液体吸収剤の循環量と上記吸湿回路（12,13）又は上記放湿回路（13,12）における液体吸収剤の保有量とに基づいて所定時間を算出し、上記切換部（4a〜4d,4）の第２状態直後から該所定時間の経過後に、上記切換部（4a〜4d,4）を第２状態から第１状態へ切り換えるように制御する制御部（8）を備えていることを特徴としている。
【００２４】
第４の発明では、上記調湿装置（10）の除湿運転において、上記吸湿回路（12,13）に係る薄い液体吸収剤が上記放湿回路（13,12）に係る濃い液体吸収剤に入れ替わるまでの時間を、上記供給回路（11）に係る液体吸収剤の循環量と上記吸湿回路（12,13）に係る液体吸収剤の保有量とに基づいて算出する。又、上記調湿装置（10）の加湿運転において、上記放湿回路（13,12）に係る濃い液体吸収剤が上記吸湿回路（12,13）に係る薄い液体吸収剤に入れ替わるまでの時間を、上記供給回路（11）に係る液体吸収剤の循環量と上記放湿回路（13,12）に係る液体吸収剤の保有量とに基づいて算出する。
【００２５】
そして、上記切換部（4a〜4d,4）を第１状態から第２状態へ、即ち２つの循環回路（吸湿回路（12,13）と放湿回路（13,12））から１つの循環回路（供給回路（11））へ切り換えた直後から上述した所定時間の経過後に、上記切換部（4a〜4d,4）を第２状態から第１状態へ戻す。
【発明の効果】
【００２６】
本発明によれば、上記切換部（4a〜4d,4）を第１状態から第２状態へ切り換えることにより、上記第１状態で薄くなった上記吸湿回路（12,13）の液体吸収剤の濃度を濃くし、上記第１状態で濃くなった上記放湿回路（13,12）の液体吸収剤の濃度を薄くすることができる。これにより、上記第１状態で低下した吸湿部（40a,40b）及び放湿部（40b,40a）の調湿能力を回復することができる。
【００２７】
又、上記切換部（4a〜4d,4）の第１状態時に、上記吸湿回路（12,13）には上記加熱部（46b,46a）がなく、液体吸収剤が加熱されない分だけ、上記吸湿回路（12,13）に係る冷却部（46a,46b）の冷却量を従来よりも少なくすることができる。又、上記放湿回路（13,12）には上記冷却部（46a,46b）がなく、液体吸収剤が冷却されない分だけ、上記放湿回路（13,12）に係る加熱部（46b,46a）の加熱量を従来よりも少なくすることができる。
【００２８】
以上より、上記調湿装置（10）の調湿性能を維持しながら、上記冷却部（46a,46b）及び上記加熱部（46b,46a）に要する熱交換量を従来よりも少なくすることができ、上記調湿装置（10）の省エネ性を向上させることができる。
【００２９】
また、上記第２の発明によれば、上記吸湿部（40a,40b）又は上記放湿部（40b,40a）で調湿された後の空気の湿度に基づいて、上記吸湿部（40a,40b）の吸湿能力又は上記放湿部（40b,40a）の放湿能力を推測する。その推測の結果、上記吸湿部（40a,40b）の吸湿能力又は上記放湿部（40b,40a）の放湿能力が所定能力よりも低下した時点で、上記切換部（4a〜4d,4）を第１状態から第２状態へ切り換えることができる。これにより、上記吸湿回路（12,13）又は上記放湿回路（13,12）に係る液体吸収剤の再生を効率よく行うことができる。
【００３０】
また、上記第３の発明によれば、上記吸湿回路（12,13）又は上記放湿回路（13,12）を循環する液体吸収剤の濃度に基づいて、上記吸湿部（40a,40b）の吸湿能力又は上記放湿部（40b,40a）の放湿能力を推測する。その推測の結果、上記吸湿部（40a,40b）の吸湿能力又は上記放湿部（40b,40a）の放湿能力が所定能力よりも低下した時点で、上記切換部（4a〜4d,4）を第１状態から第２状態へ切り換えることができる。これにより、上記吸湿回路（12,13）又は上記放湿回路（13,12）に係る液体吸収剤の再生を効率よく行うことができる。
【００３１】
また、上記第４の発明によれば、上記供給回路（11）に係る液体吸収剤の循環量と、上記吸湿回路（12,13）又は上記放湿回路（13,12）における液体吸収剤の保有量とに基づいて、上記切換部（4a〜4d,4）の第２状態時に上記吸湿回路（12,13）又は上記放湿回路（13,12）の液体吸収剤が入れ替わるのに要する所定時間を算出する。そして、上記切換部（4a〜4d,4）の第２状態の直後から所定時間の経過後に、上記切換部（4a〜4d,4）を第２状態から第１状態へ戻すことができる。
【００３２】
このように、各回路（12,13）に係る液体吸収剤の濃度を検出しなくても、その算出した所定時間で上記切換部（4a〜4d,4）を効率よく切り換えることができる。
【図面の簡単な説明】
【００３３】
【図１】図１は、実施形態に係る調湿装置の概略構造を示す平面図である。
【図２】図２は、実施形態に係る給気側及び排気側のモジュールをその一部を省略して図示した概略斜視図である。
【図３】図３は、実施形態に係る調湿装置の回路図である。
【図４】図４は、処理／再生モード時の吸収剤回路の液体の流れを示す図である。
【図５】図５は、供給モード時の吸収剤回路の液体の流れを示す図である。
【図６】図６は、実施形態の変形例１に係る処理／再生モード時の吸収剤回路の液体の流れを示す図である。
【図７】図７は、実施形態の変形例１に係る供給モード時の吸収剤回路の液体の流れを示す図である。
【図８】図８は、実施形態の変形例２に係る処理／再生モード時の吸収剤回路の液体の流れを示す図である。
【図９】図９は、実施形態の変形例２に係る供給モード時の吸収剤回路の液体の流れを示す図である。
【図１０】図１０は、実施形態の変形例３に係る調湿装置の回路図である。
【発明を実施するための形態】
【００３４】
以下、本発明の実施形態を図面に基づいて詳細に説明する。
【００３５】
実施形態の調湿装置（10）は、液体吸収剤を用いて室内の調湿を行うものである。この調湿装置（10）は、除湿運転と加湿運転とを選択的に実行可能である。そして、各運転において、２つの運転モード（処理／再生モード、供給モード）が交互に繰り返される。
【００３６】
〈調湿装置の構成〉
本実施形態の調湿装置（10）は、ケーシング（20）を備えている。このケーシング（20）には、吸収剤回路（1）と、冷媒回路（35）と、給気ファン（27）と、排気ファン（28）とが収容されている。
【００３７】
−ケーシング−
図１に示すように、ケーシング（20）は、直方体の箱状に形成されている。ケーシング（20）では、その一方の端面に外気吸込口（21）と排気口（24）とが形成され、その他方の端面に内気吸込口（23）と給気口（22）とが形成されている。ケーシング（20）の内部空間は、給気通路（25）と排気通路（26）に仕切られている。給気通路（25）は、外気吸込口（21）及び給気口（22）に連通している。給気通路（25）には、給気ファン（27）と給気側モジュール（40a）とが配置されている。一方、排気通路（26）は、内気吸込口（23）及び排気口（24）に連通している。排気通路（26）には、排気ファン（28）と排気側モジュール（40b）とが配置されている。
【００３８】
−給気側モジュール及び排気側モジュール−
給気側モジュール（40a）及び排気側モジュール（40b）は、液体吸収剤を用いて空気を調湿するものである。この各モジュール（40a,40b）は、図２に示すように、複数の内側部材（60）と外側ケース（50）と伝熱部材（46a,46b）とを備えている。
【００３９】
各内側部材（60）は、両端が開口した中空の直方体状に形成されている。この内側部材（60）は、支持枠（61）と該支持枠（61）の側面を覆う透湿膜（62）とを備えている。この透湿膜（62）は、液体吸収剤を透過させずに水蒸気を透過させる膜である。この透湿膜（62）としては、例えば、ＰＴＦＥ等のフッ素樹脂から成る疎水性多孔膜を用いることができる。
【００４０】
外側ケース（50）は中空の直方体状に形成され、この外側ケース（50）の側板（53,54）には複数の通風孔（56）が形成されている。この外側ケース（50）には、複数の通風孔（56）と同数の内側部材（60）が収容されている。内側部材（60）は、それぞれの側面を覆う透湿膜（62）が互いに向かい合う姿勢で、外側ケース（50）の長手方向に一列に配列されている。そして、内側部材（60）は、その開口部（63）が側板（53,54）の通風孔（56）と重なるように、外側ケース（50）に固定される。
【００４１】
内側部材（60）の内側の空間は、外側ケース（50）の通風孔（56）を介して外部と連通しており、空気が流れる空気通路（42）となっている。空気通路（42）では、調湿装置（10）の給気通路（25）又は排気通路（26）を流れる空気が流通する。
【００４２】
また、内側部材（60）の外側で且つ外側ケース（50）の内側の空間は、液体吸収剤が流れる吸収剤通路（41）となっている。吸収剤通路（41）では、吸収剤回路（1）を循環する液体吸収剤が流通する。従って、透湿膜（62）は、その表面が空気通路（42）を流れる空気と接触し、その裏面が吸収剤回路（1）を流れる液体吸収剤と接触する。
【００４３】
伝熱部材（46a,46b）は、複数本の伝熱管（70）と、一つの第１ヘッダ（71）と、一つの第２ヘッダ（72）とを備えている。各伝熱管（70）は、内部が複数の流路に仕切られた多穴扁平管である。複数の伝熱管（70）は、それぞれの平坦面が互いに向かい合う姿勢で、互いに一定の間隔をおいて一列に配置されている。第１ヘッダ（71）は一列に配置された各伝熱管（70）の上端に接合され、第２ヘッダ（72）は一列に配置された各伝熱管（70）の下端に接合されている。
【００４４】
外側ケース（50）内において、各伝熱部材（46a,46b）の伝熱管（70）は、隣り合う内側部材（60）の間に一本ずつ配置され、この伝熱管（70）の表面が吸収剤通路（41）を流れる液体吸収剤と接触する。
【００４５】
−冷媒回路−
図３に示すように、上記冷媒回路（35）は、圧縮機（36）と、四路切換弁（37）と、膨張弁（38）と、給気側モジュール（40a）の伝熱部材（46a）と、排気側モジュール（40b）の伝熱部材（46b）とが接続された閉回路である。この冷媒回路（35）では、圧縮機（36）の吐出側が四路切換弁（37）の第１のポートに、圧縮機（36）の吸入側が四路切換弁（37）の第２のポートに、それぞれ接続される。また、この冷媒回路（35）では、四路切換弁（37）の第３のポートから第４のポートへ向かって順に、排気側モジュール（40b）の伝熱部材（46b）と、膨張弁（38）と、給気側モジュール（40a）の伝熱部材（46a）とが配置されている。冷媒回路（35）は、該冷媒回路（35）に封入された冷媒を循環させることによって、蒸気圧縮冷凍サイクルを行う。そして、冷媒回路（35）は、給気側モジュール（40a）及び排気側モジュール（40b）に対して、冷媒を熱媒体として供給する。
【００４６】
四路切換弁（37）は、第１状態（図３に実線で示す状態）と、第２状態（同図に破線で示す状態）とに切り換わる。第１状態の四路切換弁（37）では、第１のポートが第３のポートに連通し、第２のポートが第４のポートに連通する。一方、第２状態の四路切換弁（37）では、第１のポートが第４のポートに連通し、第２のポートが第３のポートに連通する。
【００４７】
上記四路切換弁（37）が第１状態のとき、上記給気側モジュール（40a）の伝熱部材（46a）が蒸発器となり上記排気側モジュール（40b）の伝熱部材（46b）が凝縮器となって、冷凍サイクルが行われる。この結果、上記給気側モジュール（40a）内の液体吸収剤が上記蒸発器で冷却されて該液体吸収剤の水蒸気分圧が減少することにより、上記給気側モジュール（40a）が吸湿部を構成する。一方、上記排気側モジュール（40b）内の液体吸収剤が上記凝縮器で加熱されて該液体吸収剤の水蒸気分圧が増加することにより、上記排気側モジュール（40b）が放湿部を構成する。
【００４８】
一方、上記四路切換弁（37）が第２状態のとき、上記給気側モジュール（40a）の伝熱部材（46a）が凝縮器となり、上記排気側モジュール（40b）の伝熱部材（46b）が蒸発器となって冷凍サイクルが行われる。この結果、上記給気側モジュール（40a）が放湿部を構成し、上記排気側モジュール（40b）が吸湿部を構成する。尚、上記蒸発器が本発明の冷却部を構成し、上記凝縮器が本発明の加熱部を構成する。
【００４９】
−吸収剤回路−
上記吸収剤回路（1）は、給気側液通路（2）と排気側液通路（3）と第１及び第２の三方弁（4a,4b）とを備えている。尚、この第１及び第２の三方弁（4a,4b）が本発明の特徴である切換部を構成する。
【００５０】
上記給気側液通路（2）には、給気側ポンプ（6）と上記給気側モジュール（40a）とが設けられている。この給気側液通路（2）の流出端は１つであり、流入端は２つに分岐している。又、上記排気側液通路（3）には、排気側ポンプ（7）と上記排気側モジュール（40b）とが設けられている。この排気側液通路（3）の流出端は１つであり、流入端は２つに分岐している。
【００５１】
上記第１三方弁（4a）の第１ポートに上記排気側液通路（3）の流出端（3a）が接続され、上記第１三方弁（4a）の第２ポートに上記排気側液通路（3）に係る一方の流入端（3b）が接続され、上記第１三方弁（4a）の第３ポートに上記給気側液通路（2）に係る一方の流入端（2c）が接続されている。
【００５２】
又、上記第２三方弁（4b）の第１ポートに上記給気側液通路（2）の流出端（2a）が接続され、上記第２三方弁（4b）の第２ポートに上記給気側液通路（2）に係る他方の流入端（2b）が接続され、上記第２三方弁（4b）の第３ポートに上記排気側液通路（3）に係る他方の流入端（3c）が接続されている。又、上記第１及び第２の三方弁（4a,4b）は、上記第１ポートと上記第２ポートが連通し且つ上記第３ポートが閉鎖される第１状態と、上記第１ポートと上記第３ポートが連通し且つ上記第２ポートが閉鎖される第２状態とに切換可能に構成されている。
【００５３】
そして、上記第１及び第２の三方弁（4a,4b）が共に第１状態のとき、上記排気側液通路（3）の流出端（3a）及び流入端（3b）が連通して排気側液回路（13）が形成され、上記給気側液通路（2）の流出端（2a）及び流入端（2b）が連通して給気側液回路（12）が形成される。つまり、上記吸収剤回路（1）は、２つの循環回路で構成される。これが、後述する処理／再生モードの回路構成である（図４を参照）。
【００５４】
一方、上記第１及び第２の三方弁（4a,4b）が共に第２状態のとき、上記排気側液通路（3）の流出端（3a）と上記給気側液通路（2）の流入端（2c）とが連通し且つ上記給気側液通路（2）の流出端（2a）と上記排気側液通路（3）の流入端（3c）とが連通して、１つの供給回路（11）が形成される。つまり、上記吸収剤回路（1）は、１つの循環回路で構成される。これが、後述する供給モードの回路構成である（図５を参照）。
【００５５】
−コントローラ−
上記調湿装置（10）には、該調湿装置（10）の運転を制御するコントローラ（8）が設けられている。このコントローラ（8）は、運転切換部（9a）と供給モード判定部（9b）と処理／再生モード判定部（9c）とモード切換部（9d）とを備えている。又、このコントローラ（8）には、給気側モジュール（40a）を通過する空気の温度及び湿度を検出する温湿度センサ（14a,14b）と、給気ファン（27）の回転数を検出する回転数検出センサ（16）とが電気的に接続されている。尚、温湿度センサ（14a,14b）は、給気側モジュール（40a）に係る空気通路（42）の流入側と流出側にそれぞれ設けられている。
【００５６】
上記運転切換部（9a）は、ユーザ又はコントローラ（8）の指令により、上記調湿装置（10）の運転を除湿運転又は加湿運転に切り換えるものである。この運転切換部（9a）では、上記調湿装置（10）を除湿運転に設定する信号が入力されると、上記冷媒回路（35）の四路切換弁（37）に対して該四路切換弁（37）を第１状態に切り換える信号を出力し、上記調湿装置（10）を加湿運転に設定する信号が入力されると、上記冷媒回路（35）の四路切換弁（37）に対して該四路切換弁（37）を第２状態に切り換える信号を出力するように構成されている。
【００５７】
上記供給モード判定部（9b）は、上記出口側の温湿度センサ（14b）の検出値、つまり上記給気側モジュール（40a）で調湿された空気の絶対湿度に基づいて上記給気側液回路（12）に係る液体吸収剤の濃度を検出し、その検出した濃度に基づいて上記モード切換部（9d）へ供給モード信号を出力するものである。
【００５８】
上記調湿装置（10）の運転時に、上記入口側の温湿度センサ（14a）から上記供給モード判定部（9b）へ向かって上記給気側モジュール（40a）で処理される前の流入空気の絶対湿度が入力され、上記回転数検出センサ（16）から上記供給モード判定部（9b）へ向かって上記給気ファン（27）の回転数が入力される。
【００５９】
上記供給モード判定部（9b）では、流入空気の絶対湿度と、上記給気ファン（27）の回転数から求められる空気の風量とに基づいて、上記給気側モジュール（40a）で処理すべき負荷、すなわち最低吸湿能力又は最低放湿能力を算出し、その最低吸湿能力又は最低放湿能力に対応する空気湿度を所定値に設定する。そして、上記出口側の温湿度センサ（14b）の検出した絶対湿度が所定値（例えば、１０ｇ／ｋｇ）以上になると、上記給気側モジュール（40a）に係る調湿能力が低下したと判定して、上記モード切換部（9d）へ供給モード信号を出力する。
【００６０】
上記処理／再生モード判定部（9c）は、上記吸収剤回路（1）に係る第１及び第２の三方弁（4a,4b）が第２状態に切り換わった直後から設定時間の経過後に、上記モード切換部（9d）へ処理／再生モード信号を出力するものである。
【００６１】
ここで、上記供給回路（11）に係る液体吸収剤の循環量と上記給気側液回路（12）に係る液体吸収剤の保有量とから、上記給気側液回路（12）の液体吸収剤が上記排気側液回路（13）の液体吸収剤に入れ替わるまでの設定時間を算出する。具体的に、上述した液体吸収剤の保有量を上述した液体吸収剤の循環量で除算することにより、上記設定時間が演算される。そして、この設定時間が上記処理／再生モード判定部（9c）へ入力される。
【００６２】
上記モード切換部（9d）は、除湿運転時又は加湿運転時のモードを処理／再生モードと供給モードとに交互に切り換えるものである。このモード切換部（9d）では、上記供給モード判定部（9b）から供給モード信号が入力されると、上記吸収剤回路（1）に係る第１及び第２の三方弁（4a,4b）に対して第１状態から第２状態へ切り換える信号が出力される。又、上記処理／再生モード判定部（9c）から処理／再生モード信号が入力されると、上記吸収剤回路（1）に係る第１及び第２の三方弁（4a,4b）に対して第２状態から第１状態へ切り換える信号が出力される。
【００６３】
〈調湿装置の運転動作〉
次に、上記調湿装置（10）の運転動作について説明する。まず、除湿運転について説明した後で加湿運転について説明する。
【００６４】
−除湿運転−
この除湿運転では、上記コントローラ（8）の運転切換部（9a）により、上記四路切換弁（37）が第１状態に設定される。これにより、上記冷媒回路（35）において、上記圧縮機（36）、上記排気側モジュール（40b）の伝熱部材（46b）、膨張弁（38）、及び上記給気側モジュール（40a）の伝熱部材（46a）の順で冷媒が循環する。この結果、上記給気側モジュール（40a）の伝熱部材（46a）が蒸発器となることで上記給気側モジュール（40a）が吸湿部となり、上記排気側モジュール（40b）の伝熱部材（46b）が凝縮器となることで上記排気側モジュール（40b）が放湿部となる。
【００６５】
又、上記コントローラ（8）のモード切換部（9d）により、上記第１及び第２の三方弁（4a,4b）が第１状態（処理／再生モード）と第２状態（供給モード）とに交互に切り換えられる。この結果、処理／再生モードのときは上記吸収剤回路（1）が２つの循環回路で構成され、供給モードのときは上記吸収剤回路（1）が１つの循環回路で構成される。
【００６６】
《処理／再生モード》
上記処理／再生モードの場合、図４に示すように、上記給気側ポンプ（6）によって上記給気側液回路（12）内を液体吸収剤が循環し、上記排気側ポンプ（7）によって上記排気側液回路（13）内を液体吸収剤が循環する。
【００６７】
上記排気側液回路（13）を液体吸収剤が循環することにより、排気側モジュール（40b）では、伝熱部材（46b）で加熱された液体吸収剤に含まれる水の一部が水蒸気となって透湿膜（62）を透過し、空気通路（42）を流れる空気に付与される。これにより、室内から室外へ向かう空気が加湿されるとともに上記排気側液回路（13）における液体吸収剤の濃度が次第に濃くなっていく。
【００６８】
一方、上記給気側液回路（12）を液体吸収剤が循環することにより、給気側モジュール（40a）では、空気通路（42）を流れる空気に含まれる水蒸気が透湿膜（62）を透過し、伝熱部材（46a）で冷却された液体吸収剤に吸収される。これにより、室外から室内へ向かう空気が除湿されるとともに上記給気側液回路（12）における液体吸収剤の濃度が次第に薄くなっていく。
【００６９】
そして、上記供給モード判定部（9b）では、上記除湿された空気の絶対湿度が１０ｇ／ｋｇ以上になると上記給気側モジュール（40a）の吸湿能力が低下したと判定し、上記モード切換部（9d）へ供給モード信号を出力する。そして、上記モード切換部（9d）が第１及び第２の三方弁（4a,4b）を第１状態から第２状態へ切り換える。これにより、上記除湿運転時のモードが処理／再生モードから供給モードへ変更される。
【００７０】
《供給モード》
上記供給モードの場合、図５に示すように、上記給気側ポンプ（6）及び上記排気側ポンプ（7）によって上記供給回路（11）内を液体吸収剤が循環する。この供給回路（11）では、上記処理／再生モードのときに上記排気側液回路（13）で濃くなった液体吸収剤が上記給気側通路（2）へ供給され、上記処理／再生モードのときに上記給気側液回路（12）で薄くなった液体吸収剤が上記排気側通路（3）へ排出される。これにより、上記給気側通路（2）の液体吸収剤が薄い状態から濃い状態へ再生される。
【００７１】
そして、上記処理／再生モード判定部（9c）では、上述した設定時間が経過すると上記給気側液回路（12）の薄い液体吸収剤と上記排気側液回路（13）の濃い液体吸収剤とが入れ替わったと判定し、上記モード切換部（9d）へ処理／再生モード信号が出力される。そして、上記モード切換部（9d）が第１及び第２の三方弁（4a,4b）を第２状態から第１状態へ切り換える。これにより、上記除湿運転時のモードが供給モードから処理／再生モードへ変更される。このようにして、２つのモード（処理／再生モードと供給モード）に交互に切り換わりながら除湿運転が行われることにより、室内の空気が除湿される。
【００７２】
−加湿運転−
この加湿運転では、上記コントローラ（8）の運転切換部（9a）により、上記四路切換弁（37）が第２状態に切り換わる。これにより、上記冷媒回路（35）において、上述した除湿運転とは逆方向へ冷媒が循環して冷凍サイクルが行われる。この結果、上記給気側モジュール（40a）の伝熱部材（46a）が凝縮器となることで上記給気側モジュール（40a）が放湿部となり、上記排気側モジュール（40b）の伝熱部材（46b）が蒸発器となることで上記排気側モジュール（40b）が吸湿部となる。
【００７３】
尚、上記コントローラ（8）のモード切換部（9d）の動作は、除湿運転の場合と同じであるため説明は省略する。
【００７４】
《処理／再生モード》
上記加湿運転の処理／再生モードの場合、上記排気側液回路（13）を液体吸収剤が循環することにより、排気側モジュール（40b）では、空気通路（42）を流れる空気に含まれる水蒸気が透湿膜（62）を透過し、伝熱部材（46b）で冷却された液体吸収剤に吸収される。これにより、室内から室外へ向かう空気が除湿されるとともに上記排気側液回路（13）における液体吸収剤の濃度が次第に薄くなっていく。
【００７５】
一方、上記給気側液回路（12）を液体吸収剤が循環することにより、給気側モジュール（40a）では、伝熱部材（46a）で加熱された液体吸収剤に含まれる水の一部が水蒸気となって透湿膜（62）を透過し、空気通路（42）を流れる空気に付与される。これにより、室外から室内へ向かう空気が加湿されるとともに上記給気側液回路（12）における液体吸収剤の濃度が次第に濃くなっていく。
【００７６】
そして、上記供給モード判定部（9b）では、上記加湿された空気の絶対湿度が８ｇ／ｋｇ以下になると上記給気側モジュール（40a）の放湿能力が低下したと判定し、上記モード切換部（9d）へ供給モード信号を出力する。そして、上記モード切換部（9d）が第１及び第２の三方弁（4a,4b）を第１状態から第２状態へ切り換える。これにより、上記加湿運転時のモードが処理／再生モードから供給モードへ変更される。
【００７７】
《供給モード》
上記供給モードの場合、図５に示すように、上記給気側ポンプ（6）及び上記排気側ポンプ（7）によって上記供給回路（11）内を液体吸収剤が循環する。この供給回路（11）では、上記処理／再生モードのときに上記排気側液回路（13）で薄くなった液体吸収剤が上記給気側通路（2）へ供給され、上記処理／再生モードのときに上記給気側液回路（12）で濃くなった液体吸収剤が上記排気側通路（3）へ排出される。これにより、上記給気側通路（2）の液体吸収剤が濃い状態から薄い状態になる。
【００７８】
そして、上記処理／再生モード判定部（9c）では、上述した設定時間が経過すると上記給気側液回路（12）の濃い液体吸収剤と上記排気側液回路（13）の薄い液体吸収剤とが入れ替わったと判定し、上記モード切換部（9d）へ処理／再生モード信号が出力される。そして、上記モード切換部（9d）が第１及び第２の三方弁（4a,4b）を第２状態から第１状態へ切り換える。これにより、上記加湿運転時のモードが供給モードから処理／再生モードへ変更される。このようにして、２つのモード（処理／再生モードと供給モード）に交互に切り換わりながら加湿運転が行われることにより、室内の空気が加湿される。
【００７９】
−実施形態の効果−
本実施形態によれば、上記除湿運転において、上記第１及び第２の三方弁（4a,4b）を第１状態から第２状態へ切り換えることにより、上記第１状態で薄くなった上記給気側液回路（12）の液体吸収剤の濃度を濃くし、上記第１状態で濃くなった上記排気側液回路（13）の液体吸収剤の濃度を薄くすることができる。これにより、上記第１状態で低下した給気側モジュール（40a）の吸湿能力を回復することができる。
【００８０】
又、上記加湿運転において、上記第１及び第２の三方弁（4a,4b）を第１状態から第２状態へ切り換えることにより、上記第１状態で濃くなった上記給気側液回路（12）の液体吸収剤の濃度を薄くし、上記第１状態で薄くなった上記排気側液回路（13）の液体吸収剤の濃度を濃くすることができる。これにより、上記第１状態で低下した給気側モジュール（40a）の放湿能力を回復することができる。
【００８１】
又、上記除湿運転において、上記第１及び第２の三方弁（4a,4b）の第１状態時に、上記給気側液回路（12）には上記加熱部がなく、液体吸収剤が加熱されない分だけ、上記給気側モジュール（40a）の伝熱部材（46a）に係る冷却量を従来よりも少なくすることができる。又、上記排気側液回路（13）には上記冷却部がなく、この冷却部で液体吸収剤が冷却されない分だけ、上記排気側モジュール（40b）の伝熱部材（46b）に係る加熱量を従来よりも少なくすることができる。
【００８２】
又、上記加湿運転において、上記第１及び第２の三方弁（4a,4b）の第１状態時に、上記給気側液回路（12）には上記冷却部がなく、この冷却部で液体吸収剤が冷却されない分だけ、上記給気側モジュール（40a）の伝熱部材（46a）に係る加熱量を従来よりも少なくすることができる。又、上記排気側液回路（13）には上記冷却部がなく、液体吸収剤が冷却されない分だけ、上記排気側モジュール（40b）の伝熱部材（46b）に係る冷却量を従来よりも少なくすることができる。
【００８３】
以上より、上述した２つのモードを交互に切り換えることで上記調湿装置（10）の調湿性能を維持しながら、上記給気側モジュール（40a）及び上記排気側モジュール（40b）に係る伝熱部材（46a,46b）に要する熱交換量を従来よりも少なくすることができ、上記調湿装置（10）の省エネ性を向上させることができる。
【００８４】
また、本実施形態によれば、上記吸湿部（40a,40b）又は上記放湿部（40b,40a）で調湿された空気の湿度に基づいて、上記給気側モジュール（40a）の調湿能力を推測する。その推測の結果、上記給気側モジュール（40a）の調湿能力が所定能力よりも低下した時点で、上記第１及び第２の三方弁（4a,4b）を第１状態から第２状態へ切り換えることができる。これにより、上記給気側液回路（12）に係る液体吸収剤の再生を効率よく行うことができる。
【００８５】
また、本実施形態によれば、上記供給回路（11）に係る液体吸収剤の循環量と、上記給気側液回路（12）における液体吸収剤の保有量とに基づいて、上記第１及び第２の三方弁（4a,4b）の第２状態時に上記給気側液回路（12）と上記排気側液回路（13）との間で液体吸収剤が入れ替わる設定時間を算出する。そして、上記第１及び第２の三方弁（4a,4b）の第２状態の直後から設定時間の経過後に、上記第１及び第２の三方弁（4a,4b）を第２状態から第１状態へ戻すことができる。このように、上記給気側液回路（12）に係る液体吸収剤の濃度を検出しなくても、その算出した設定時間で上記第１及び第２の三方弁（4a,4b）を効率よく切り換えることができる。
【００８６】
−実施形態の変形例１−
図６及び図７に示す実施形態の変形例１では、上記実施形態とは違い、上記吸収剤回路（1）に接続される切換部が１つの四路切換弁（4）で構成されている。以下、上記実施形態と同じ部分については説明を省略し、相違点についてのみ説明する。
【００８７】
変形例１の給気側及び排気側液通路（2,3）は、１つの流入端（2b,3b）と１つの流出端（2a,3a）とを有している。又、上記給気側液通路（2）には、給気側ポンプ（6）と上記給気側モジュール（40a）とが設けられている。一方、上記排気側液通路（3）には、排気側ポンプ（7）と上記排気側モジュール（40b）とが設けられている。
【００８８】
変形例１の吸収剤回路（1）に接続された四路切換弁（4）の第１ポートに上記給気側液通路（2）の流入端（2b）が接続され、第２ポートに上記給気側液通路（2）の流出端（2a）が接続され、第３ポートに上記排気側液通路（3）の流入端（3b）が接続され、第４ポートに上記排気側液通路（3）の流出端（3a）が接続されている。
【００８９】
この四路切換弁（4）は、第１ポートと第２ポートが連通し且つ第３ポートと第４ポートが連通する第１状態と、第１ポートと第４ポートが連通し且つ第２ポートと第３ポートが連通する第２状態とに切換可能に構成されている。
【００９０】
そして、上記四路切換弁（4）が第１状態のとき、図６に示すように、上記吸収剤回路（1）が２つの循環回路（給気側液回路（12）と排気側液回路（13））となり、上記吸収剤回路（1）が処理／再生モードになる。一方、上記四路切換弁（4）が第２状態のとき、図７に示すように、上記吸収剤回路（1）が１つの循環回路（供給回路（11））となり、上記吸収剤回路（1）が供給モードになる。
【００９１】
このように、変形例１の切換部は１つの四路切換弁（4）で構成されるので、上述した実施形態に係る２つの三方弁（4a,4b）に比べて、上記切換部に必要な弁の数を減らすことができる。これにより、上記調湿装置（10）の製造コストを低減することができる。
【００９２】
−実施形態の変形例２−
図８及び図９に示す実施形態の変形例２では、上記実施形態とは違い、上記第１三方弁（4a）の代わりに給気側と排気側の電磁弁（4c,4d）が設けられている。
【００９３】
この場合には、上記第１三方弁（4a）の各ポートに接続されていた３つの端部、即ち上記排気側液通路（3）の流出端（3a）、上記排気側液通路（3）に係る一方の流入端（3b）、及び上記給気側液通路（2）に係る一方の流入端（2b）が、互いに連通するように接続されている。
【００９４】
そして、上記給気側液通路（2）に係る一方の流入端（2b）の下流側付近に給気側の電磁弁（4c）が取り付けられ、上記排気側液通路（3）に係る一方の流入端（3b）の下流側付近に排気側の電磁弁（4d）が取り付けられている。
【００９５】
変形例２の吸収剤回路（1）では、図８に示すように、給気側の電磁弁（4c）が閉で排気側の電磁弁（4d）が開となり且つ第２三方弁（4b）が第１状態に設定されると、上記吸収剤回路（1）が２つの循環回路（給気側液回路（12）と排気側液回路（13））となり、上記吸収剤回路（1）が処理／再生モードになる。一方、図９に示すように、給気側の電磁弁（4c）が開で排気側の電磁弁（4d）が閉となり且つ第２三方弁（4b）が第２状態に設定されると、上記吸収剤回路（1）が１つの循環回路（供給回路（11））となり、上記吸収剤回路（1）が供給モードになる。
【００９６】
このように、上記実施形態に係る第１三方弁（4a）の代わりに２つの電磁弁（4c,4d）を用いた場合でも、上記実施形態と同様の効果を得ることができる。尚、変形例２では、第１三方弁（4a）の代わりに２つの電磁弁（4c,4d）を用いたが、第１三方弁（4a）だけでなく、第２三方弁（4b）も２つの電磁弁（4c,4d）で代用してもよい。
【００９７】
−実施形態の変形例３−
図１０に、実施形態の変形例３に係る調湿装置の回路図を示す。この実施形態の変形例３に係るコントローラ（8）の供給モード判定部（9b）では、上記実施形態とは違い、上記吸湿回路（12）の液体吸収剤の流れの中に設置された液体吸収剤の濃度センサ（17）の検出値に基づいて上記モード切換部（9d）へ供給モード信号を出力するように構成されている。
【００９８】
上述の手段で算出された最低吸湿能力または最低放湿能力に対応する濃度変化速度を所定値に設定するとともに、上記濃度センサ（17）で検出された液体吸収剤の濃度から濃度変化速度を算出し、その変化速度が所定値よりも小さくなると、上記給気側モジュール（40a）の吸湿能力または放湿能力が低下していると判定し、上記モード切換部（9d）へ供給モード信号を出力する。
【００９９】
このように、変形例３の供給モード判定部（9b）では、吸湿回路（12,13）の液体吸収剤の濃度のみで処理／再生モードから供給モードへの変更を判定できるので、上述した実施形態の場合に比べて、上記供給モード判定部（9b）の構成を簡素化することができる。
【０１００】
《その他の実施形態》
上記実施形態については、以下のような構成としてもよい。
【０１０１】
上記実施形態では、給気側及び排気側のモジュール（40a,40b）に伝熱部材（46a,46b）が設けられていたが、これに限定される必要はなく、給気側及び排気側のモジュール（40a,40b）に伝熱部材（46a,46b）を設けなくてもよい。この場合には、これらの伝熱部材（46a,46b）の代わりに、給気側及び排気側のモジュール（40a,40b）とは別体で給気側熱交換器（46a）及び排気側熱交換器（46b）を吸収剤回路（1）に設ける。この構成においても、本発明と同様の効果を得ることができる。
【０１０２】
なお、以上の実施形態は、本質的に好ましい例示であって、本発明、その適用物、あるいはその用途の範囲を制限することを意図するものではない。
【産業上の利用可能性】
【０１０３】
以上説明したように、本発明は、液体吸収剤によって空気の湿度調節を行う調湿装置について有用である。
【符号の説明】
【０１０４】
1    吸収剤回路
2    給気側通路
3    排気側通路
4a    第１三方弁（切換部）
4b    第２三方弁（切換部）
8    コントローラ
10    調湿装置
35    冷媒回路
40a   給気側モジュール（吸湿部、放湿部）
40b   排気側モジュール（放湿部、吸湿部）
36    圧縮機
46a   給気側モジュールの伝熱部材（冷却部、加熱部）
46b   排気側モジュールの伝熱部材（加熱部、冷却部）
【図１】
2013064548.tif 000003
【図２】
2013064548.tif 000004
【図３】
2013064548.tif 000005
【図４】
2013064548.tif 000006
【図５】
2013064548.tif 000007
【図６】
2013064548.tif 000008
【図７】
2013064548.tif 000009
【図８】
2013064548.tif 000010
【図９】
2013064548.tif 000011
【図１０】
2013064548.tif 000012